(57)【要約】【課題】高精度の光学分析を可能とする分析システムを提供すること。【解決手段】液体状の試料に光を照射し、試料を分析する分析システムであって、反応槽１２と、流入口１４と、流出口１６と、を有する反応部１と、分析セル２２ａと、少なくとも１つの光源部２４と、少なくとも１つの受光部２６と、を有する分析部２と、第一の流路３２と、第二の流路３４と、を有する流路管３と、を備え、分析セル２２ａの計測部２２２は、断面積が互いに異なる第一の計測部位２２２１及び第二の計測部位２２２２を有する分析システムＡとすること。【選択図】図１
2019174338.tif 000002
【特許請求の範囲】
【請求項１】
液体状の試料に光を照射し、前記試料を分析する分析システムであって、
前記試料を収容する反応槽と、前記反応槽へ前記試料が流入する流入口と、前記反応槽から前記試料が流出する流出口と、を有する反応部と、
前記試料を分析する分析セルと、前記分析セルに光を照射する少なくとも１つの光源部と、前記試料の透過光又は散乱光を受光する少なくとも１つの受光部と、を有する分析部と、
前記反応槽の前記流出口から前記分析セルへ前記試料を送液する第一の流路と、前記分析セルから前記反応槽の前記流入口へ前記試料を送液する第二の流路と、を有する流路管と、
を備え、
前記分析セルは、前記光源部からの光が前記試料に照射される計測部と、前記第一の流路から前記計測部へ前記試料を供給する供給口と、前記計測部から前記第二の流路へ前記試料を排出する排出口と、を備え、前記計測部は、断面積が互いに異なる第一の計測部位及び第二の計測部位を有する、
分析システム。
【請求項２】
請求項１に記載の分析システムであって、
前記光源部は、
前記第一の計測部位の前記試料に第一の光を照射する第一の光源部と、
前記第二の計測部位の前記試料に第二の光を照射する第二の光源部と、
を備え、
前記受光部は、
前記第一の計測部位の前記試料の前記透過光又は散乱光を受光する第一の受光部と、
前記第二の計測部位の前記試料の前記透過光又は散乱光を受光する第二の受光部と、
を備える、
分析システム。
【請求項３】
請求項２に記載の分析システムであって、
前記分析部は、前記第一の受光部で得られた分析結果に基づき、前記第二の光源部の光の照射条件を制御する、制御部を、更に備える、
分析システム。
【請求項４】
請求項１に記載の分析システムであって、
前記分析部は、前記第一の計測部位又は前記第二の計測部位において、前記光の照射位置を変動させる、位置変動機構を、更に備える、
分析システム。
【請求項５】
請求項１に記載の分析システムであって、
前記第一の計測部位において前記試料の成分濃度を計測し、
前記第二の計測部位において前記試料の散乱体濃度を計測する、
分析システム。
【請求項６】
請求項１に記載の分析システムであって、
前記第一の計測部位と前記第二の計測部位は、前記光源部より照射された前記光の光路長が相互に同じである部位と、前記光源部より照射された前記光の光路長が相互に異なる部位と、を有する、
分析システム。
【請求項７】
請求項６に記載の分析システムであって、
前記光の光路長が同じ部位において、前記試料の成分濃度を計測し、
前記光の光路長が異なる部位において、前記試料の散乱体濃度を計測する、
分析システム。
【請求項８】
請求項１に記載の分析システムであって、
前記光源部は、前記第一の計測部位に照射される前記光の光路と、前記第二の計測部位に照射される前記光の光路が、互いにねじれの位置にあるように配置された、
分析システム。
【請求項９】
請求項１に記載の分析システムであって、
前記光源部から照射される前記光の断面積が、前記第一の計測部位の★照射領域の表面積と前記第二の計測部位の照射領域の表面積のいずれよりも小さい、
分析システム。
【請求項１０】
液体状の試料を分析する分析セルを有する分析部と、
前記分析セルへ前記試料を送液する第一の流路と、前記分析セルから外部へ前記試料を送液する第二の流路と、を有する流路管と、
を備え、
前記分析セルは、断面積が互いに異なる第一の計測部位及び第二の計測部位を有する、
分析用バイパス。
【請求項１１】
請求項１０に記載の分析用バイパスであって、
前記分析セルは、前記第一の計測部位と前記第二の計測部位とが隣接した、略円錐台形状である、
分析用バイパス。
【請求項１２】
請求項１０に記載の分析用バイパスであって、
前記分析セルにおいて、前記試料の流れ方向をＸ軸方向とし、前記流れ方向と略垂直方向をＹ軸方向とし、前記Ｘ軸方向と前記Ｙ軸方向を含む平面に対する垂直方向をＺ軸方向とすると、
前記分析セルは、前記Ｘ軸方向に沿って、前記第一の計測部位と、前記第二の計測部位と、第三の計測部位と、第四の計測部位と、第五の計測部位と、をこの順に、少なくとも有し、
前記第一〜第三の計測部位の各断面積は、互いに異なり、かつ、
前記第三〜第五の計測部位の各断面積は、互いに異なり、
前記第一〜第五の計測部位の前記Ｚ軸方向の長さは、いずれも略等しく、
前記Ｙ軸方向の長さは、
前記第三の計測部位の前記Ｙ軸方向の長さ＞前記第二の計測部位の前記Ｙ軸方向の長さ＞前記第一の計測部位の前記Ｙ軸方向の長さ、の関係を満たし、かつ、
前記第三の計測部位の前記Ｙ軸方向の長さ＞前記第四の計測部位の前記Ｙ軸方向の長さ＞前記第五の計測部位の前記Ｙ軸方向の長さ、の関係を満たす、
分析用バイパス。
【請求項１３】
液体状の試料に光を照射し、前記試料を分析する分析方法であって、
（１）容器内に収容された液体状の試料を、前記容器に接続された分析セルに流す工程と、
（２）前記分析セル内に存在する前記試料に光を照射して、前記試料を分析する工程と、
を含み、
前記分析セルは、前記第一の流路から前記試料が供給される供給口と、前記光源部から照射された光が前記試料を通過する計測部と、前記計測部から前記第二の流路に前記試料を排出する排出口と、を有し、前記計測部は、第一の計測部位と、前記第一の計測部位の断面積と異なる断面積を有する第二の計測部位と、を有する、
分析方法。
【請求項１４】
請求項１３に記載の分析方法であって、
前記第一の計測部位に存在する前記試料に光を照射し、
前記第一の計測部位で得られた分析結果に基づき、前記第二の計測部位に存在する前記試料に照射する光の照射条件を制御して、前記第二の計測部位に存在する前記試料に光を照射する、
分析方法。
【請求項１５】
請求項１３に記載の分析方法であって、
前記第一の計測部位と前記第二の計測部位とは、前記光源部より照射された前記光の光路長が相互に同じである部位と、前記光源部より照射された前記光の光路長が相互に異なる部位と、を有し、
前記光の光路長が同じである部位において、前記試料の成分濃度を計測し、
前記光の光路長が異なる部位において、前記試料の散乱体濃度を計測する、
分析方法。
【発明の詳細な説明】
【技術分野】
【０００１】
本発明は、分析システム、分析用バイパス及び分析方法に関する。
【背景技術】
【０００２】
従来、液体状の試料に光を照射し、試料に含まれる成分を分析する手法が知られている。例えば、特許文献１には「サンプル流路を切断することなくフローセルを設けることができ、可撓性チューブを変形させることでフローセルの光路長を任意に変えることができる分光分析装置」が記載されている。
【先行技術文献】
【特許文献】
【０００３】
【特許文献１】特開２０１４−２０９０６３号公報
【発明の概要】
【発明が解決しようとする課題】
【０００４】
上述した可撓性チューブのような流路管内の液体環境（例えば、温度）は、反応槽の環境とは異なる。反応槽において所定の反応を進行させつつ、液体状の試料を連続的に光学分析を行う場合、反応槽から送液された試料を早めに光学分析することが、成分変化が少ないため好適である。また、もし光学分析した液体試料を反応槽に還流させる場合は、分析後の試料も早めに反応槽に送液することが、反応槽内部の試料の分析による成分変化を回避する視点で望ましい。しかし、特許文献１に開示の技術では、可撓性チューブを変形により断面積を減少させる。よって、上述した理由により、可撓性チューブへの送液速度を上げた場合、可撓性チューブ内で光を照射して分析する部位での試料の流速は送液速度よりも速くなり、その結果、光学分析の精度が低下する。
【０００５】
そこで、本発明は、高精度の光学分析を可能とする分析システム、分析用バイパス及び分析方法を提供することを目的とする。
【課題を解決するための手段】
【０００６】
本願は、上記課題の少なくとも一部を解決する手段を複数含んでいるが、その例を挙げるならば、以下のとおりである。
【０００７】
本発明に係る第一の態様は、液体状の試料に光を照射し、試料を分析する分析システムであって、試料を収容する反応槽と、反応槽へ試料が流入する流入口と、反応槽から試料が流出する流出口と、を有する反応部と、試料を分析する分析セルと、分析セルに光を照射する少なくとも１つの光源部と、試料の透過光又は散乱光を受光する少なくとも１つの受光部と、を有する分析部と、反応槽の流出口から分析セルへ試料を送液する第一の流路と、分析セルから反応槽の流入口へ試料を送液する第二の流路と、を有する流路管と、を備え、
分析セルは、光源部からの光が試料に照射される計測部と、第一の流路から計測部へ試料を供給する供給口と、計測部から第二の流路へ試料を排出する排出口と、を備え、計測部は、断面積が互いに異なる第一の計測部位及び第二の計測部位を有する。
【０００８】
本発明に係る第二の態様は、分析用バイパスであって、液体状の試料を分析する分析セルを有する分析部と、分析セルへ試料を送液する第一の流路と、分析セルから外部へ試料を送液する第二の流路と、を有する流路管と、を備え、
分析セルは、断面積が互いに異なる第一の計測部位及び第二の計測部位を有する。
【０００９】
本発明に係る第三の態様は、液体状の試料に光を照射し、試料を分析する分析方法であって、
（１）容器内に収容された液体状の試料を、容器に接続された分析セルに流す工程と、
（２）分析セル内に存在する試料に光を照射して、試料を分析する工程と、
を含み、
分析セルは、第一の流路から試料が供給される供給口と、光源部から照射された光が試料を通過する計測部と、計測部から第二の流路に試料を排出する排出口と、を有し、計測部は、第一の計測部位と、第一の計測部位の断面積と異なる断面積を有する第二の計測部位と、を有する。
【発明の効果】
【００１０】
本発明によれば、高精度の光学分析を可能とする分析システムを提供することができる。
上記した以外の課題、構成及び効果は、以下の実施形態の説明により明らかにされる。
【図面の簡単な説明】
【００１１】
【図１】図１は、本実施形態に係る分析システムの一例を示す図である。
【図２】図２は、本実施形態における分析セルの一例を示す図である。
【図３】図３は、本実施形態における光学系の一例を示す図である。
【図４】図４は、試料（ａ）の流速と分析精度の関係を示すグラフである。
【図５】図５は、試料（ｂ）の流速と分析精度の関係を示すグラフである。
【図６】図６は、本実施形態における光学系の別の一例を示す図である。
【図７】図７は、本実施形態における光学系の更に別の一例を示す図である。
【図８】図８は、本実施形態における分析セルの別の一例を示す図である。
【図９】図９は、本実施形態における分析セルの更に別の一例を示す図である。
【図１０】図１０は、本実施形態に係る分析方法の一例を示すフローチャートである。
【発明を実施するための形態】
【００１２】
以下、本発明を実施するための形態（以下、単に「本実施形態」という。）について詳細に説明する。以下の本実施形態は、本発明を説明するための例示であり、本発明を以下の内容に限定する趣旨ではない。また、以下の実施形態においては便宜上その必要があるときは、各実施形態に分割して説明するが、特に明示した場合を除き、それらは互いに無関係なものではなく、一方は他方の一部又は全部の変形例、詳細、補足説明等の関係にある。
【００１３】
また、以下の実施形態において、要素の数等（個数、数値、量、範囲等を含む。）に言及する場合、特に明示した場合及び原理的に明らかに特定の数に限定される場合等を除き、その特定の数に限定されるものではなく、特定の数以上でも以下でもよい。さらに、以下の実施形態において、その構成要素（要素ステップ等も含む。）は、特に明示した場合及び原理的に明らかに必須であると考えられる場合等を除き、必ずしも必須のものではないことはいうまでもない。
【００１４】
同様に、以下の実施形態において、構成要素等の形状、位置関係等に言及するときは、特に明示した場合及び原理的に明らかにそうではないと考えられる場合等を除き、実質的にその形状等に近似又は類似するもの等を含むものとする。このことは、上記数値及び範囲についても同様である。
【００１５】
さらに、実施形態を説明するための全図において、同一の部材には原則として同一の符号を付し、その繰り返しの説明は省略する。また、図面をわかりやすくするために平面図であってもハッチングを付す場合がある。そして、理解のため、Ｘ軸、Ｙ軸、Ｚ軸の直交座標系を用いて説明する場合があるが、特に断りがない限り、Ｘ軸、Ｙ軸は水平面を構成する方向とし、Ｚ軸はこの水平面に対する垂直方向とする。そして、厳密に各軸に一致していなくても、実質的に同じ作用効果を達成できる範囲内の変更は許容され、これに包含される。
【００１６】
＜分析システム＞
【００１７】
本実施形態の第一の態様は、分析システムである。
【００１８】
図１は、本実施形態に係る分析システムの一例である。図２は、図１における分析セルの一例を示す図である。図３は、本実施形態における光学系の一例を示す図である。
【００１９】
分析システムＡは、液体状の試料に光を照射し、試料を分析する分析システムであって、試料を収容する反応槽１２と、反応槽１２へ試料が流入する流入口１４と、反応槽１２から試料が流出する流出口１６と、を有する反応部１と、試料を分析する分析セル２２ａと、分析セル２２ａに光を照射する少なくとも１つの光源部２４と、試料の透過光又は散乱光を受光する少なくとも１つの受光部２６と、を有する分析部２と、反応槽１２の流出口１６から分析セル２２ａへ試料を送液する第一の流路３２と、分析セル２２ａから反応槽１２の流入口１４へ試料を送液する第二の流路３４と、を有する流路管３と、を備える。分析セル２２ａは、光源部２４からの光が試料に照射される計測部２２２と、第一の流路３２から計測部２２２へ試料を供給する供給口２２４と、計測部２２２から第二の流路３４へ試料を排出する排出口２２６と、を備える。計測部２２２は、断面積が互いに異なる第一の計測部位２２２１及び第二の計測部位２２２２を有する。
【００２０】
反応槽１２内の試料は、ポンプ４により系内を循環する。試料は、反応槽１２の流出口１６から、第一の流路３２を経て、分析部の分析セル２２ａに送られ、分光分析が行われる。その後、試料は、第二の流路３４を経て、流入口１４から反応槽１２に送られる。分析システムＡは、反応槽１２の反応や試料の送液を停止させることなく、連続的に分析を行うことができる。例えば、反応槽１２において、生物学的、化学的又は物理的な反応を行い、その反応溶液（液体状の試料）を分析セル２２ａにおいて測定することができる。さらに、反応槽１２において所定の反応を進行させつつ、反応溶液を分析セル２２ａにおいて連続的に光学分析を行うことができる。あるいは、その経時変化を観察することもできる。
【００２１】
また、分析システムＡは、試料の非破壊分析が可能であり、試料の再利用も可能である。例えば、分析システムを大スケールで長時間稼働させるような場合には、測定した試料は多量になるから、かかる試料を再利用できることの経済的利点も大きい。
【００２２】
試料は液体状であれば、その種類は限定されない。例えば、溶質と溶媒とが均質に混ざり合っている溶液、固体粒子が溶媒中に分散した懸濁液、油滴等を含む乳濁液、コロイド液等であってもよい。そして、液体状の試料を構成する成分は、複数成分であってもよい。試料が複数成分である場合、少なくとも１つの成分が液相であればよい。例えば、液相−液相、液相−固相、液相−気相、液相−固相−気相等のような組み合わせであってもよい。また、試料の粘性は、送液可能な程度の流動性を有していればよく、特に限定されない。
【００２３】
試料の具体例としては、例えば、生物学的反応を行う細胞、微生物、菌類等の培養液や、化学的反応を行う各種化学薬品や溶媒等が挙げられるが、これらの中でも生物学的反応を行う細胞、微生物、菌類等の培養液が好ましい。
【００２４】
分析セル２２ａで行う光学分析の種類は、特に限定されない。例えば、赤外分光分析、近赤外分光分析、紫外・可視分光分析、蛍光分光分析、燐光分光分析、Ｘ線分析等が挙げられる。その他にも、試料に光を照射して透過光の強度を測定する各種吸収分光分析、試料に光を照射して散乱光の強度を測定する各種光散乱分光分析、試料に光を照射して放出される光電子のエネルギーを測定する各種光電子分光分析等が挙げられる。
【００２５】
本実施形態で扱う透過光や散乱光（特に断りがない限り、本明細書では反射光も含む。）には、例えば、上述した各種分光分析において測定対象となる光が含まれる。
【００２６】
光源部２４及び受光部２６は、使用する分光分析の種類や測定条件等に応じて、好適な構成を適宜採用することができる。光源部２４としては、例えば、赤外光、近赤外光、紫外光、可視光、励起光、Ｘ線等を照射可能な装置を使用できる。受光部２６としては、例えば、測定する光を検出可能な検出器等を使用することができる。受光部２６の具体例としては、例えば、ＩｎＧａＡｓフォトダイオード、ＩｎＳｂ光導電素子、ＰｂＳ光導電素子、光電子増倍管、Ｓｉフォトダイオード等が具備された装置等が挙げられる。
【００２７】
分析システムＡの光学系は、光源部２４から分析セル２２ａに対して光照射を行い、それを受光部２６で分析するものであればよく、必要に応じて、複数の光源部２４、複数の受光部２６を設けてもよいし、光源部２４や受光部２６を可動・可変としてもよい。
【００２８】
光源部２４と受光部２６はそれぞれ可動である（図３参照）。一対の光源部２４と受光部２６を動かすことで、第一の計測部位２２２１又は第二の計測部位２２２２に選択的に光を照射し、これを受光することができる。また、光照射は、いわゆるスポット照射に限定されず、例えば、スポットを各計測部位内で走査させてもよい。
【００２９】
そして、図示はしないが、分析部２は、第一の計測部位２２２１又は第二の計測部位２２２２において、光の照射スポットを変動させる位置変動機構を、更に備えることが好ましい。位置変動機構の構成は特に限定されず、第一の計測部位２２２１内又は第二の計測部位２２２２内の目標照射位置に向けて光を照射可能とするものであればよい。位置変動機構を備えることで、目標位置に対して光をより正確に照射することができる。
【００３０】
なお、試料に含有される成分の濃度によって、吸収される光量が異なる傾向がある。このことを利用して、光路長を固定（フラット）した光学分析を行うことで、試料中の成分の濃度を求めることができる。また、光路上に存在する散乱体の数に依存して受光部２６が受光する光の強度が変化する傾向がある。このことを利用して、光学分析では試料中の散乱体濃度を計測することもできる。ところが、光路上の散乱体の数が多すぎると受光部２６の受光強度が弱くなりすぎ、光路上の散乱体の数が少なすぎると受光部２６の受光強度の変化が乏しくなるため、光路上の散乱体数を調整することが散乱体濃度測定では重要である。よって、本実施形態では、光路長が一定の計測部位での光学分析と、光路長が変化する計測部位での光学分析とを行うことで、試料に関する種々の情報を得ることもできる。
【００３１】
さらに、第一の計測部位２２２１と第二の計測部位２２２２は、光源部２４より照射された光の光路長が相互に同じ部位と、光源部２４より照射された光の光路長が相互に異なる部位と、を有することが好ましい。試料の流れ方向（矢印Ｆ参照）であるＸ軸方向と垂直であるＹ軸方向（すなわち、紙面の左右方向）では、第一の計測部位２２２１の光路長と第二の計測部位２２２２の光路長が異なる。そして、Ｘ軸方向とＹ軸方向を含む平面に対して垂直なＺ軸方向では、第一の計測部位２２２１の光路長と第二の計測部位２２２２の光路長は同じである。
【００３２】
まず、光路長が変化する光学系において、粒子の数や形状等を測定し、続いて、光路長が一定（フラット）である光学系における測定に適切な箇所を決定し、その箇所で成分濃度等を測定する、といった多角的な分光分析を行うことができる。例えば、分析セル２２ａを用いる場合、Ｙ軸方向において粒子の数や形状等を光学的に測定し、Ｚ軸方向において粒子の成分濃度を光学的に測定することができる。多角的な分析を行う場合には、分析セル２２ａの光の光路長が同じ部位において試料の成分濃度を計測し、光の光路長が異なる部位において試料の散乱体濃度を計測する、といった使い分けができる。
【００３３】
分析セル２２ａは、光源部２４からの光が試料に照射される計測部２２２と、第一の流路３２から計測部２２２へ試料を供給する供給口２２４と、計測部２２２から第二の流路３４へ試料を排出する排出口２２６と、を備える（図２参照）。計測部２２２は、断面積が互いに異なる第一の計測部位２２２１及び第二の計測部位２２２２を有する。分析セル２２ａは、試料が内部を流れることができるよう中空である。ここで、断面積とは、試料の流れ方向（矢印Ｆ参照）に垂直な面における各計測部位の内部の試料が充満する空間の断面積のことである。
【００３４】
分析セル２２ａの材料は、分光測定に使用可能な材料であればよく、特に限定されない。分析セル２２ａの材料は、耐熱性、耐圧性、機械的強度が高く、洗浄や滅菌等が容易であり、試料に対して安定であるものが好ましい。分析セル２２ａの好ましい材料としては、例えば、石英ガラス、有機物等が挙げられる。
【００３５】
流路管３の材料は、特に限定されないが、耐熱性、耐圧性、機械的強度が高く、洗浄、滅菌等が容易であり、試料に対して安定であるものが好ましい。
【００３６】
分析セル２２ａは断面積の異なる第一の計測部位２２２１と第二の計測部位２２２２を有しており、試料の測定に適したいずれかの計測部位を選択できる。第一の計測部位２２２１と第二の計測部位２２２２とは、互いの光路長は同じあるが、断面積が異なる。これにより、試料の流速や濃度の変化に起因する分析精度の低下を抑制でき、高精度の光学分析が可能である。
【００３７】
（分析セルにおける分析精度の検証等）
通常、流路管３内や分析セル２２ａ内を送液される試料は、光源部２４から光が照射される計測部位における試料の流速に依存して分析精度が変化してしまうといった問題がある。この問題を詳細に検証すべく、試料の流速と分析精度の関係（流速依存性）を確認した。
【００３８】
流速依存性に関して、断面積が３ｍｍ２である計測領域（分析セル）に液体状の試料を送液し、この計測領域で近赤外光分光分析を行った場合の、検量モデルの決定係数(Ｒ２(validation))を評価した。決定係数は、検量モデルの精度を表す指標値の一つ（予測値と真値の相関係数）である。通常、決定係数は０以上1以下の値をとり、決定係数が０．８５以上であれば検量モデルの精度が高いと評価される。
【００３９】
検証で用いた液体状の試料は、溶媒として純水、溶質としてグルコース（濃度：０〜１００ｍＭ）、散乱体としてポリスチレン粒子（３μｍ粒子径）を用いて、調製した。ポリスチレン粒子の濃度を、(ａ)８．４×１０７個／ｍＬの場合と(ｂ)１６．８×１０７個／ｍＬの場合にそれぞれ設定し、これらについて検証した。
【００４０】
図４は、試料（ａ）の流速と分析精度の関係を示すグラフである。図５は、試料（ｂ）の流速と分析精度の関係を示すグラフである。
【００４１】
図４から、試料（ａ）は流速の増加に伴い分析精度が低下していることが、少なくとも確認された。一方、図５から、試料（ｂ）は流速が２ｃｍ／ｓのときに分析精度が最も高いことが、少なくとも確認された。すなわち、流速が遅すぎると、分析セル２２ａへの汚れの付着等の理由から、分析精度が低下する傾向が強くなる。また、流速が速すぎると、試料を通過する光（透過光や散乱光を含む。）の光量が安定せず、分析精度が低下する傾向が強くなる。これらのことから、高精度の光学分析を行うためには、少なくとも、適切な流速の下で光学分析を行うことが重要であることが確認された（但し、本実施形態の作用はこれらに限定されない。）。
【００４２】
この点、本実施形態の分析セル２２ａは、第一の計測部位２２２１と第二の計測部位２２２２の断面積が異なる構造を有することから、第一の計測部位２２２１を流れる試料の流速と、第二の計測部位２２２２を流れる試料の流速が異なる。よって、第一の計測部位２２２１と第二の計測部位２２２２のうち、行うべき光学分析に適した流速の計測部位を選択することで、高い分析精度で分析を行うことができる。
【００４３】
分析システムＡは、このような構造を有する分析セル２２ａを用いることで、流路管３内での試料の流速や濃度に起因する分析精度の低下が抑制でき、高精度の光学分析が可能となる。とりわけ、試料が散乱体を含む場合にかかる効果は顕著であり、流速や散乱体濃度の上昇に伴う分析精度の低下を一層効果的に抑制できる。試料が散乱体を含む場合には流速や濃度の上昇による影響が大きいところ、本実施形態によれば、散乱体を含む液体状の試料であっても高精度で分析することができるからである。
【００４４】
（光学系の変形例）
分析システムＡにおける光学系は、その分析対象や分析条件等を考慮して、適宜好適な構成を採用することができる。例えば、光源部２４や受光部２６について、以下のような好適な変形例を採用することができる。
【００４５】
図６は、本実施形態における光学系の別の一例の構成を示す図である。
【００４６】
光源部２４として、第一の計測部位２２２１の試料に第一の光を照射する第一の光源部２４１と、第二の計測部位２２２２の試料に第二の光を照射する第二の光源部２４２と、を備える。そして、受光部２６として、第一の計測部位２２２１の試料の透過光又は散乱光を受光する第一の受光部２６１と、第二の計測部位２２２２の試料の透過光又は散乱光を受光する第二の受光部２６２と、を備える。
【００４７】
ここでは、二対の光源部２４（第一の光源部２４１、第二の光源部２４２）と受光部２６（第一の受光部２６１、第二の受光部２６２）を有する構成を例示したが、３対以上の光源部２４と受光部２６を有する構成であってもよい。三対以上の光源部２４と受光部２６を有する場合も、二対の光源部２４と受光部２６を有する場合と同様に、これらが平行に配置されていることに限定されない。また、光源部２４、計測部２２２及び受光部２６がこの順に一直線上に配置されていることに限定されない。例えば、必要に応じて、ミラー等を介してこれらの光学系が構成されていてもよい。
【００４８】
図示はしないが、分析部２は、第一の受光部２６１で得られた分析結果に基づき、第二の光源部２４２の光の照射条件（例えば、照射位置、照射強度、照射時間等）を制御する制御部を、更に備えることが好ましい。このような構成をとることで、第一の光源部２４１から照射される第一の光を用いた第一の光学分析の結果を、第二の光源部２４２から照射される第二の光を用いた第二の光学分析に反映させることができるため、分析精度を一層向上させることができる。
【００４９】
さらに、第一の計測部位２２２１と第二の計測部位２２２２で異なる種類の分光分析を行うことで、多角的な分析を行うこともできる。例えば、第一の計測部位２２２１において試料の成分濃度（試料中に溶解している成分の濃度）を計測し、第二の計測部位２２２２において試料の散乱体濃度を計測することができる。その際、例えば、第一の構成部位２２２１と第二の計測部位２２２２において、互いの光路長が一定（フラット）となるように各測定箇所を選択してもよいし、互いの光路長が異なるように各測定箇所を選択してもよい。
【００５０】
図７は、本実施形態における光学系の更に別の一例の構成を示す図である。
【００５１】
光源部２４は、第一の計測部位２２２１に照射される光の光路と、第二の計測部位２２２２に照射される光の光路が、互いにねじれの位置にあるように配置されることが好ましい。ここで、ねじれの位置とは、両光路が、平行でなく、かつ、交差しない位置関係にあることをいう。第一の計測部位２２２１の光学系（第一の光源部２４１と第一の受光部２６１）と第二の計測部位２２２２の光学系（第二の光源部２４２と第二の受光部２６２）がねじれの位置にあることで、装置の省スペース化に資する。
【００５２】
また、光源部２４から照射される光の断面積が、第一の計測部位２２２１の照射領域の表面積と第二の計測部位２２２２の照射領域の表面積のいずれよりも小さいことが好ましい。例えば、第一の計測部位２２２１の照射領域の表面積とは、第一の計測部位２２２１において、光源部２４からの光が第一の計測部位２２２１に照射可能な領域の面積をいう。これにより、光学分析の精度を一層向上させることができる。
【００５３】
（分析セルの変形例）
本実施形態における分析セルは、断面積が異なる２つ以上の計測部位を有していればよく、上述した形状に限定されるものでない。例えば、図示はしないが、分析セル内の計測部位は必ずしも互いに隣接している必要はなく、連結部等を介して接続されているような構造であってもよい。そして、試料の流速に応じて、複数の計測部位から適した計測部位を選択できる構造として、例えば、以下のような変形例を採用することもできる。
【００５４】
図８は、本実施形態における分析セルの別の一例の構成を示す図である。
【００５５】
分析セルの好適例として、第一の計測部位２２２１と第二の計測部位２２２２とが隣接した、略円錐台形状である分析セル２２ｂが挙げられる。分析セル２２ｂの側面が傾斜面であることにより、第一の計測部位２２２１と第二の計測部位２２２２の各断面積が無段階で可変とすることができる。これによって、光学分析に適切な流速の選択の幅（選択可能性）が向上し、分析精度を一層向上させることができる。
【００５６】
加えて、分析セル２２ｂは、第一の計測部位２２２１と第二の計測部位２２２２の各光路長も無段階で可変とすることができる。これによって、分光測定に適した光路長の選択の幅（選択可能性）が向上し、このような観点からも分析精度を一層向上させることができる。
【００５７】
さらに加えて、分析セル２２ｂは、測定箇所の数を２箇所に限定することなく、任意に構成することができる。これによって、分光測定を行う測定箇所の選択の幅（選択可能性）が向上し、このような観点からも分析精度を一層向上させることができる。
【００５８】
図９は、本実施形態における分析セルの更に別の一例の構成を示す図である。
【００５９】
分析セル２２ｃは、試料の流れ方向をＸ軸方向とし、流れ方向と略垂直方向をＹ軸方向とし、Ｘ軸方向とＹ軸方向を含む平面に対する垂直方向をＺ軸方向とすると、Ｘ軸方向に沿って、第一の計測部位２２２１と、第二の計測部位２２２２と、第三の計測部位２２２３と、第四の計測部位２２２４と、第五の計測部位２２２５と、をこの順に、少なくとも有する。そして、第一〜第三の計測部位の各断面積は、互いに異なり、かつ、第三〜第五の計測部位の各断面積は、互いに異なる。さらに、第一〜第五の計測部位のＺ軸方向の長さは、いずれも略等しい。またさらに、Ｙ軸方向の長さは、下記式（ｉ）で表される関係、及び下記式（ｉｉ）で表される関係を満たす。
（ｉ）第三の計測部位２２２３のＹ軸方向の長さ＞第二の計測部位２２２２のＹ軸方向の長さ＞第一の計測部位２２２１のＹ軸方向の長さ
（ｉｉ）第三の計測部位２２２３のＹ軸方向の長さ＞第四の計測部位２２２４のＹ軸方向の長さ＞第五の計測部位２２２５のＹ軸方向の長さ
【００６０】
分析セル２２ｃは、第一〜第五の計測部位を有し、隣接する３つの計測部位（第一〜第三の計測部位、第三〜第五の計測部位）の断面積が異なる構造である。断面積が異なる計測部位が多い程、より適切な流速で試料を測定することができるため、光学分析の精度を一層向上させることができる。
【００６１】
さらに、分析セル２２ｃを用いることで、より多角的な分光分析を連続的にかつ高精度に行うこともできる。例えば、Ｙ軸方向に沿った光路上で第一の光学分析を行い、Ｙ軸方向に沿った光路上で第二の光学分析を行うことができる。例えば、第一の光学分析は、第一の光源部２４１と第一の受光部２６１を用いて行い、第二の光学分析は、第二の光源部２４２と第二の受光部２６２を用いて行う。その際、第一の光学分析と第二の光学分析は、独立して分析を行う構成でもよい。あるいは、第一の光学分析の分析結果に基づき、第二の光学分析の測定条件を決定し、第二の光学分析を行う構成とすることもできる。一方の光学分析結果を、他方の光学分析の条件設定に反映させることで、分析精度を一層向上させることができる。
【００６２】
第一の光学分析（Ｙ軸方向）では、各計測部位の光路長が異なるため、分析に適した光路長の計測部位を５段階で選択できる。
【００６３】
第二の光学分析（Ｚ軸方向）では、各計測部位の光路長は同じであるが、上流側の部位と下流側の部位で試料の流速が異なる。すなわち、流れ方向（Ｘ軸方向）に沿って、分析に適した流速である測定箇所を無段階で選択でき、Ｚ軸方向に沿って光照射する。
【００６４】
第一の光学分析を行うにあたって、光路長が短すぎると、透過光や散乱光を十分に取得することができず、分析精度が低下する。一方で、光路長が長すぎると、光を十分に試料に透過させることができず、分析精度が低下する、といった問題がある。
【００６５】
この点、本実施形態によれば、第一の光学分析では、光路長が異なる５つの計測部位から適切な光路長や流速の計測部位を選択し、そこで光学分析を行うことができるため、かかる問題を解消できる。そして、第二の光学分析では、上流側の試料の成分濃度よりも下流側の試料の成分濃度が高くなる傾向にあるが、本実施形態では、このような影響を考慮した上で、適切な流速の計測部位を選択し、当該箇所で光学分析を行うことができるため、光学分析を一層で行うことができる。
【００６６】
このように、分析セル２２ｃを用いる場合、多角的な分析が可能であり、かつ、各分析を高精度で行うことができる。加えて、一対の光源部２４１及び受光部２６１が、もう一対の光源部２４２及び受光部２６２に対して、空間的な干渉をすることがないため、装置の省スペース化に資する。
【００６７】
多角的な分析を行う一例として、第一の光学分析として試料中の粒子の数・形状や粒子間の距離等を測定し、その測定結果に基づき、第二の光学分析として試料の成分濃度等の成分分析を行うことができる。具体的には、まず、第一の光学分析として、光路長が変化する光学系において、試料中の散乱体の数や形状等を測定し、続いて、第一の光学分析の結果に基づき、光路長が一定（フラット）である光学系における測定の最適箇所を決定し、当該箇所において成分濃度等を測定する。
【００６８】
上述した各構成は一例であり、光路長が変化する側面を複数有していてもよいし、光路長が変化しない側面を複数有していてもよい。光路長が異なる計測が可能であることで、流速だけでなく光路長の最適化も可能となるため、分析精度を一層向上させることができる。
【００６９】
＜分析用バイパス＞
【００７０】
本実施形態の第二の態様は、分析用バイパスである。
【００７１】
本実施形態に係る分析用バイパスは、上述した分析セル２２（２２ａ、２２ｂ、２２ｃ）を有する分析部２と、分析セル２２へ試料を送液する第一の流路３２と、分析セル２２から外部へ試料を送液する第二の流路３４と、を有する。本実施形態に係る分析用バイパスは、上述した分析システムを構成する一部品として使用することもできる。本実施形態に係る分析用バイパスを構成する部位は、特に断りがない限り、上述した分析システムにおいて説明した部位を用いることができる。
【００７２】
分析用バイパスの好適例の一つは、液体状の試料を分析する分析セル２２を有する分析部と、分析セル２２へ試料を送液する第一の流路３２と、分析セル２２から外部へ試料を送液する第二の流路３４と、を有する流路管３と、を備え、分析セル２２は、断面積が互いに異なる第一の計測部位２２２１及び第二の計測部位２２２２を有する、分析用バイパスである。
【００７３】
分析用バイパスの分析セル２２としては、上述した分析セルの各態様を好適例として採用することができる。
【００７４】
＜分析方法＞
【００７５】
本実施形態の第三の態様は、分析方法である。
【００７６】
本実施形態に係る分析方法は、液体状の試料に光を照射し、試料を分析する分析方法であって、
（１）容器内に収容された液体状の試料を、容器に接続された分析セル２２に流す工程と、
（２）分析セル２２内に存在する試料に光を照射して、試料を分析する工程と、
を含む。
【００７７】
そして、分析セル２２は、第一の流路３２から試料が供給される供給口２２４と、光源部２４から照射された光が試料を通過する計測部２２２と、計測部２２２から第二の流路３４に試料を排出する排出口２２６と、を有する。さらに、計測部２２２は、第一の計測部位２２２１と、第一の計測部位２２２１の断面積と異なる断面積を有する第二の計測部位２２２２と、を有する。
【００７８】
さらに、本実施形態に係る分析方法としては、第一の計測部位２２２１に存在する試料に光を照射し、第一の計測部位２２２１で得られた分析結果に基づき、第二の計測部位２２２２に存在する試料に照射する光の照射条件（例えば、照射位置、照射強度、照射時間等）を制御して、第二の計測部位２２２２に存在する試料に光を照射することが好ましい。
【００７９】
また、本実施形態に係る分析方法としては、第一の計測部位２２２１と第二の計測部位２２２２とは、光源部２４より照射された光の光路長が相互に同じである部位と、光源部２４より照射された光の光路長が相互に異なる部位と、を有し、光の光路長が同じである部位において、試料の成分濃度を計測し、光の光路長が異なる部位において、試料の散乱体濃度を計測することが好ましい。
【００８０】
本実施形態に係る反応方法の他の好適例として、上述した分析システムを用いて、各工程を行う方法が挙げられる。特に断りがない限り、分析システムについて説明した内容を、反応方法として行うことができる。
【００８１】
図１０は、本実施形態に係る反応方法の一例を示すフローチャートであり、以下の各工程を行う。
【００８２】
（Ｓ１）反応槽１２から分析セル２２への試料の送液：
ポンプ４が、反応槽１２内の試料を分析部２に送液させる。
【００８３】
（Ｓ２−１）第一の光学分析（第一の計測部位２２２１による試料の光学分析）：
第一の光源部２４１が試料に光を照射し、第一の受光部２６１がその透過光又は散乱光を受光し、信号として取り出す。
【００８４】
（Ｓ２−２）第二の光学分析の測定条件の決定：
制御部が、第一の計測部位２２２１で取り出した信号に基づき、第二の光学分析に適切な測定条件を選択し、位置変動機構に第二の光源部２４２を移動させるよう指令を出す。
【００８５】
（Ｓ２−３）第二の光学分析（第二の計測部位２２２２による試料の光学分析）：
第二の光源部２４２が試料に光を照射し、第二の受光部２６２がその透過光又は散乱光を受光し、信号として取り出す。
【００８６】
（Ｓ３）測定結果の出力：
解析部が、第一の計測部位２２２１と第二の計測部位２２２２の信号を解析し、測定結果として出力する。その後、再び、（Ｓ１）に戻り、定期的に又は連続的に分析を行い、反応をモニタリングする。
【００８７】
これまでに説明した分析方法を実行する態様として、例えば、コンピュータに上述した各工程として機能させるためのプログラムを用いることができる。あるいは、コンピュータに上述した各工程を実行させるためのプログラムを記録したコンピュータ読み取り可能な記録媒体を用いることができる。
【００８８】
また、上述した各工程は、制御装置を用いて実行させることができる。制御装置として、例えば、パーソナルコンピュータ等の端末を使用することができる。図示はしないが、端末には、例えば、ＣＰＵ（Central Processing Unit）、記憶装置、メインメモリ等との通信を行うインターフェイス等を具備させることができる。制御装置の各種機能は、アプリケーションプログラム等として記憶装置に格納することができる。ＣＰＵは、アプリケーションプログラムを記憶装置から読み出し、メインメモリに格納し、実行することで各種機能を実現することができる。
【００８９】
またさらに、光学測定の分析条件を制御し、それに基づき一連の分析を実行させる機能は、例えば、アプリケーションプログラムにより実装させることができる。さらに、制御装置は、試料の反応を行う反応部１、分析部２、試料を送液するポンプ４、位置変動機構及び解析部のそれぞれに対して指令を送る構成としてもよい。またさらに、制御装置は、ユーザーの別途の操作を受け付けてもよい。
【００９０】
以上、本発明者らによってなされた発明を実施形態に基づき具体的に説明したが、本実施形態は上述した実施形態に限定されるものではなく、その要旨を逸脱しない範囲で種々変更可能である。
【符号の説明】
【００９１】
１…反応部、２…分析部、３…流路管、４…ポンプ、１２…反応槽、１４…流入口、１６…流出口、２２、２２ａ、２２ｂ、２２ｃ…分析セル、２２２…計測部、２２２１…第一の計測部位、２２２２…第二の計測部位、２２２３…第三の計測部位、２２２４…第四の計測部位、２２２５…第五の計測部位、２２４…供給口、２２６…排出口、２４…光源部、２４１…第一の光源部、２４２…第二の光源部、２６…受光部、２６１…第一の受光部、２６２…第二の受光部、３２…第一の流路、３４…第二の流路、Ａ…分析システム
【図１】
2019174338.tif 000003
【図２】
2019174338.tif 000004
【図３】
2019174338.tif 000005
【図４】
2019174338.tif 000006
【図５】
2019174338.tif 000007
【図６】
2019174338.tif 000008
【図７】
2019174338.tif 000009
【図８】
2019174338.tif 000010
【図９】
2019174338.tif 000011
【図１０】
2019174338.tif 000012